(57)【要約】      （修正有）【課題】いつどこでも使用が簡便なマルチメディア用携帯機器のコネクターを提供する。【解決手段】データを転送するコネクターケーブル１０に音響出力の可能なイヤホン３０を統合したマルチメディア用携帯機器のコネクターに関し、一側に音響装置の接続端子に結合されるジャックコネクター１を有し、首に掛けられる形態からなるコネクターケーブル１０；前記コネクターケーブルに連結され、ＵＳＢ及びＩ／Ｏプラグを収容するコネクター本体部１１；前記コネクターケーブルから分離されるイヤホンの線；前記分離されたイヤホンの線の末端に設置されるイヤホン；及び、前記イヤホンの線と前記コネクターケーブルを脱着させる締結手段４０；を含む構成を設ける。このようなコネクターによると、ネックレスとしてアクセサリーに活用でき、所望の場所でデータの送受信を実行できるもので、必要時にイヤホン及びコネクターケーブルを独立的に使用できる。【選択図】図２
2007183920.tif 000002
【特許請求の範囲】
【請求項１】
一側に音響装置の接続端子に結合されるジャックコネクターを有し、首に掛けられる形態からなるコネクターケーブル、及び
前記コネクターケーブルに連結され、ＵＳＢプラグ及びＩ／Ｏプラグを収容するコネクター本体部を含み、
前記ＵＳＢプラグ及びＩ／Ｏプラグは分離可能であることを特徴とするマルチメディア用携帯機器のコネクター。
【請求項２】
前記コネクター本体部は、第１本体と第２本体に分離され、
前記第１本体には携帯機器に接続されるＩ／Ｏプラグが内蔵され、
前記第２本体には、データ処理装置に接続されるＵＳＢプラグが内蔵されることを特徴とする請求項１に記載のマルチメディア用携帯機器のコネクター。
【請求項３】
前記第１本体には、前記ＵＳＢプラグを収容するＵＳＢプラグの収容部が設けられ、
前記第２本体には、前記Ｉ／Ｏプラグを収容するＩ／Ｏプラグの収容部が設けられ、
前記第１本体と第２本体が嵌め合せられることを特徴とする請求項２に記載のマルチメディア用携帯機器のコネクター。
【請求項４】
前記コネクターケーブルから分離されるイヤホンの線；
前記分離されたイヤホンの線の末端に設置されるイヤホン；及び、
前記イヤホンの線と前記コネクターケーブルを脱着させる締結手段をさらに含むことを特徴とする請求項３に記載のマルチメディア用携帯機器のコネクター。
【請求項５】
前記コネクターケーブルの内には、前記ジャックコネクターと前記イヤホンを電気的に連結するための内蔵イヤホンの線を含むことを特徴とする請求項４に記載のマルチメディア用携帯機器のコネクター。
【請求項６】
前記締結手段にはコネクターケーブルが差し込まれる貫通孔が設けられ、
前記貫通孔の他側にはイヤホンの脱着が可能な掛けフックが形成されていることを特徴とする請求項５に記載のマルチメディア用携帯機器のコネクター。
【請求項７】
前記マルチメディア用携帯機器は、ＭＰ３プレイヤー、携帯用ゲーム機、携帯用放送受信装置、携帯電話、ＰＭＰ、デジタルカメラ、携帯用通信機器のいずれかであることを特徴とする請求項１ないし６のいずれかに記載のマルチメディア用携帯機器のコネクター。
【請求項８】
前記ＵＳＢプラグの両側面にはそれぞれリブが設けられたことを特徴とする請求項３に記載のマルチメディア用携帯機器のコネクター。
【請求項９】
前記ＵＳＢプラグの収容部には、前記それぞれのリブを収容するためのリブ挿入口が設けられたことを特徴とする請求項８に記載のマルチメディア用携帯機器のコネクター。
【発明の詳細な説明】
【技術分野】
【０００１】
本発明は、マルチメディア用携帯機器のコネクターに関し、特にデータを転送するコネクターケーブルに音響出力の可能なイヤホンを統合したマルチメディア用携帯機器のコネクターに関する。
【背景技術】
【０００２】
最近、音響及び通信技術の発達により、ＭＰ３プレイヤーや携帯電話などのような携帯機器の性能が非常に向上しており、現代の社会生活において相当な比重を占めている必須品であると言える。
【０００３】
また、携帯電話またはＭＰ３プレイヤーなどの普及が拡大されることにより、ユーザーの要求もまた多様になってきており、これにより移動通信事業者は、携帯電話固有の通話機能の他にも多様な付加サービスを提供している。このような付加機能サービスの一つが、インターネットにより音楽などを聴取したり、インターネット株取引、電子商取引などを含む多様なコンテンツ（ｃｏｎｔｅｎｔｓ）を提供するモバイルインターネット（Ｍｏｂｉｌｅ  Ｉｎｔｅｒｎｅｔ）機能が挙げられる。
【０００４】
このように、携帯電話またはＭＰ３プレイヤーなどでインターネットや情報提供サービス会社などから提供する各種のコンテンツなどを活用するためには、図１に示されたようなコネクターが必要だった。
【０００５】
即ち、図１に示されたように、コネクター１００は  ＰＣ  １１０、ノートパソコン、ＰＤＡなどのような機器のＩ／Ｏポートの一つであるＵＳＢポート１１１とＭＰ３プレイヤー１２０のＩ／Ｏポート１２１を連結し、相互データの転送ができるようにするものであって、一般的にはＰＣ  ＬＩＮＫＥＲ、ＤＡＴＡ  ＣＡＢＬＥ（標準２４ピンデータケーブル）などと命名されることもある。
【０００６】
このようなコネクター１００は、着信メロディ、イメージ、ゲームなどの多様なコンテンツをデータケーブル１０３によりＰＣ１１０からダウンロードしたり、ＰＣ  １１０にセーブされたデータ及びコンテンツなどをＰＣ  １１０にバックアップ（Ｂａｃｋｕｐ）できるようにするものである。
【０００７】
コネクター１００またはデータケーブル１０３は、図１に示されたように、ＵＳＢ端子１０１とＭＰ３プレイヤー１２０のＩ／Ｏポート１２１に接続する入出力端子１０２は、約１Ｍのケーブル１０３で連結されており、このような状態で市中に販売流通されている実情であり、前記従来のコネクター１００は、ケーブル１０３の長さにより別途の携帯用バックを備えなけなければならないため、携帯が不便だった。  
【０００８】
また、データケーブルからダウンロードした音楽ファイルを演奏するためには、別途のイヤホン１３０を備えなければならないことはもちろん、前記イヤホン１３０もまた常時携帯しなければならなく、このような携帯過程で紛失したり、破損される恐れがあった。
【０００９】
即ち、コネクターケーブル及びイヤホンは、完全に独立した状態の別個の製品であって、これらは常時分離している状態で使用することになるため、これらの製品を共に携帯することは非常に不便だった。  
【００１０】
そのため、コネクターの場合、平常時には携帯が事実上困難であり、必要により携帯するか、所期の場所に保管し、必要時にコネクター１００を使用するしかないという不便さがあった。
【００１１】
因みに、マルチメディア用携帯機器の急増とマルチメディア用携帯機器向きのコンテンツが多様化され、これによりマルチメディア用携帯機器にセーブされるデータの種類と量が急増するにしたがって、ＭＰ３プレイヤー１２０または携帯電話にセーブされるデータは、随時バックアップする必要性が発生し、外部から提供される多様なデータとコンテンツを場所を問わず、随時ダウンロードしたり収容しなければならないことがよく発生する。
【００１２】
このような技術に関する一例が、大韓民国公開特許公報第２００３−３７４２９号、公開特許公報第２００５−２７３９５号などに開示されている。
【特許文献１】韓国特許出願公開第２００３−３７４２９号
【特許文献２】韓国特許出願公開第２００５−２７３９５号
【発明の開示】
【発明が解決しようとする課題】
【００１３】
しかし、前記公報などに開示された技術においては、コネクター１００を簡便に携帯できないという問題点により、ユーザーはコネクター１００が保管された場所及び備えられた場所でのみデータを転送するしかないという煩わしさが発生した。
【００１４】
即ち、ＭＰ３プレイヤー１２０及びイヤホン１３０は、常時携帯できるという長所を持っている反面、コネクター１００は常時携帯できる程度に製作されたり、またこのような形態への変形が行なわれておらず、ＭＰ３プレイヤー１２０または携帯電話の特性及び長所である、いつどこでも通信（無線通信とコネクター１００を用いたデータ通信）が自由でなければならないという点に制約を受けるという弊害を発生させる。
【００１５】
また、イヤホン１３０とコネクター１００を別途に携帯して使用する場合、紛失する恐れもあった。
【００１６】
本発明の目的は、前述したような従来のコネクターケーブルの問題点を解消するために案出されたもので、データを転送するコネクターケーブルに音響出力の可能なイヤホンを統合した一つの構成からなり、携帯できるという便利性を持ち、いつどこでも使用が簡便なマルチメディア用携帯機器のコネクターを提供することにある。
【００１７】
本発明の別の目的は、イヤホンまたはコネクターの紛失が防止できるマルチメディア用携帯機器のコネクターを提供することにある。
【００１８】
本発明のまた別の目的は、マルチメディア用携帯機器のコネクターとコンピュータなどの周辺機器との誤挿入が防止できるマルチメディア用携帯機器のコネクターを提供することにある。
【課題を解決するための手段】
【００１９】
前記の目的を達成するための本発明は、一側に音響装置の接続端子に結合されるジャックコネクターを有し、首に掛けられる形態からなるコネクターケーブル、及び前記コネクターケーブルに連結され、ＵＳＢ及びＩ／Ｏプラグを収容するコネクター本体部を含み、前記ＵＳＢ及びＩ／Ｏプラグは分離可能であることを特徴とする。
【００２０】
前記コネクター本体部は、第１本体と第２本体に分離され、前記第１本体には携帯機器に接続されるＩ／Ｏプラグが内蔵され、前記第２本体には、データ処理装置に接続されるＵＳＢプラグが内蔵されることを特徴とする。
【００２１】
前記第１本体には、前記ＵＳＢプラグを収容するＵＳＢプラグの収容部が設けられ、前記第２本体には、前記Ｉ／Ｏプラグを収容するＩ／Ｏプラグの収容部が設けられ、前記第１本体と第２本体が嵌め合わされることを特徴とする。
【００２２】
前記コネクターケーブルから分離されるイヤホンの線、前記分離されたイヤホンの線の末端に設置されるイヤホン、及び前記イヤホンの線と前記コネクターケーブルを脱着させる締結手段をさらに含むことを特徴とする。
【００２３】
前記コネクターケーブルの内には、前記ジャックコネクターと前記イヤホンを電気的に連結するための内蔵イヤホンの線を含むことを特徴とする。
【００２４】
前記締結手段にはコネクターケーブルが差し込まれる貫通孔が設けられ、前記貫通孔の他側にはイヤホンの脱着が可能な掛けフックが形成されていることを特徴とする。
【００２５】
前記マルチメディア用携帯機器は、ＭＰ３プレイヤー、携帯用ゲーム機、携帯用放送受信装置、携帯電話、ＰＭＰ、デジタルカメラ、携帯用通信機器のいずれかであることを特徴とする。
【発明の効果】
【００２６】
以上で詳細に説明したように、本発明に係るマルチメディア用携帯機器のコネクターによると、ネックレスとして利用できる一つのアクセサリーに活用でき、所望の場所でデータの送受信を実行できるものであって、必要時にイヤホン及びコネクターケーブルを独立的に使用できるという効果が得られる。
【００２７】
また、本発明に係るマルチメディア用携帯機器のコネクターによると、データ処理装置のＵＳＢポートと接続するとき、ＵＳＢプラグの誤挿入を防止するためのリブが設けられるため、プラグの誤挿入によるマルチメディア用携帯機器の損傷が防止できるという効果も得られる。
【発明を実施するための最良の形態】
【００２８】
以下、本発明に係るマルチメディア用携帯機器のコネクターの具体的な構成と作用を、実施例により見てみる。
【実施例】
【００２９】
図２は本発明に係るマルチメディア用携帯機器のコネクターの斜視図であり、図３は本発明の一つの実施形態によるマルチメディア用携帯機器のコネクター本体部の結合構造を示した斜視図であり、図４は本発明の一つの実施形態によりＵＳＢポートを用いてコンピュータとマルチメディア用携帯機器を結合するマルチメディア用携帯機器のコネクターを示した図であり、図５はその一つの使用状態図を示した図である。
【００３０】
図２及び図３に示されたように、本発明の一つの実施形態によるマルチメディア用携帯機器のコネクターは、マルチメディア用携帯機器の音響装置の接続端子に結合されるジャックコネクター１が形成されているコネクターケーブル１０、ＵＳＢ及びＩ／Ｏプラグなどを収容するコネクター本体部１１、前記コネクターケーブルから分離されるイヤホンの線２０、前記分離されたイヤホンの線２０の末端に設けられるイヤホン３０、前記イヤホン３０が前記コネクターケーブル１０の一側に脱着が可能な締結手段４０などから構成されている。
【００３１】
前記コネクターケーブル１０は首に掛けられる形状の円形状を保持し、マルチメディア用携帯機器の音響装置の接続端子に結合されるジャックコネクター１を一側に形成する。このとき、ジャックコネクター１は、コネクターケーブル１０の長手方向の中央に位置することが好ましい。即ち、コネクターケーブル１０は、外見上、首に掛けられるアクセサリー機能が可能な形態を持つ。
【００３２】
また、前記コネクターケーブル１０の内には、データの送受信のための多数個のケーブル（図示しない）が内蔵される。そして、前記ジャックコネクター１と前記イヤホン３０を電気的に連結するためのイヤホンの線２０をさらに含んで内蔵される。
【００３３】
また、前記ジャックコネクター１と前記イヤホン３０を電気的に連結するためのイヤホンの線２０は、前記コネクターケーブル１０の内で所定の長さまで一体型に延長された後、前記コネクターケーブル１０の外部に分離される。そして、前記分離されたイヤホンの線２０は所定の長さまで延長され、その末端にはイヤホン３０が連結される。
【００３４】
また、前記コネクターケーブル１０には、前記イヤホン３０を脱着可能な形態の締結手段４０を結合する。前記締結手段４０には、一側に前記コネクターケーブル１０を差し込むための貫通孔４１が設けられ、他側には前記イヤホン３０を脱着可能な掛けフック４２が設けられる。前記掛けフック４２は弾性力を持ち円形状に形成することが好ましく、前記イヤホン３０が差し込まれる挿入溝４３が設けられている。
【００３５】
また、図３に示されたように、コネクター本体部１１はプラスチック、ゴム、樹脂材などからなる第１本体１２と第２本体１３に分離され、第１本体１２と第２本体１３は嵌め合わされる。
【００３６】
また、第１本体１２には、例えばＭＰ３プレイヤーなどのＩ／Ｏポートに接続されるＩ／Ｏプラグ１４が設けられる。また、第１本体１２の内には、後述するＵＳＢプラグを収容し、それぞれのＵＳＢプラグの端子を保護するためのＵＳＢプラグの収容部１５’が設けられている。
【００３７】
第２本体１３には、コンピュータなどのＵＳＢポートに接続されるＵＳＢプラグ１５及びＩ／Ｏプラグ１４を収容し、それぞれのＩ／Ｏプラグ１４の端子を保護するためのＩ／Ｏプラグの収容部１４’が設けられている。
【００３８】
以上のような構成からなることにより、本発明の一つの実施形態によるマルチメディア用携帯機器のコネクターは、図４に示されたように、マルチメディア用携帯機器の一例として、ＭＰ３プレイヤー５０とコンピュータを連結してデータを送受信する場合、コネクター本体部１１から第１本体１２と第２本体１３を分離し、第１本体１２のＩ／Ｏプラグ１４をマルチメディア用携帯機器のＩ／Ｏ端子５１に接続する。次に、第２本体部１３のＵＳＢプラグ１５をコンピュータの入出力端に挿入し、目的とするデータの送受信を実行する。
【００３９】
また、データを送受信しない場合は、第１本体１２と第２本体１３を嵌め合わせて結合すると、首に掛けられるアクセサリーに活用できる。
【００４０】
また、図５に示されたように、コネクターケーブル１０を首に掛けていて、音楽などを聴取しようとする場合、コネクターケーブル１０の一側に結合された締結手段４０の掛けフック４２からイヤホン３０を離脱させた後、ジャックコネクター１を用いてマルチメディア用携帯機器の音響接続端子に挿入し、マルチメディア用携帯機器から流れてくる音楽を聴取すればいい。
【００４１】
以上のようなマルチメディア用携帯機器のコネクターは、コンピュータなどの情報機器に接続してデータの送受信が可能であり、ケーブル本体を差し込む構造により首に掛けられる一つのアクセサリーに活用できることは勿論、イヤホンが備えられていて音楽を聴取できる。
【００４２】
次に、図６により第１本体１２と第２本体１３の構成について、より具体的に説明する。
【００４３】
図６は、第１本体及び第２本体の具体的な斜視図を示す図である。
【００４４】
即ち、図６に示されたように、第２本体１３にはＵＳＢプラグ１５とデータ処理装置などの周辺機器のＵＳＢポートと接続するとき、ＵＳＢプラグ１５がスライドしてデータ処理装置などの周辺機器のＵＳＢポートへの挿入を案内し、ＵＳＢプラグ１５の誤挿入を防止するために、ＵＳＢプラグ１５の両側面にはそれぞれリブ１６が設けられる。
【００４５】
第１本体１２のＵＳＢプラグの収容部１５’の内には、リブ１６を収容するためにリブ１６に対応する溝が形成されたリブ挿入口１６’が設けられる。
【００４６】
図６に示されたように、リブ１６を設けることにより、プラグの誤挿入によるマルチメディア用携帯機器の損傷が防止できる。
【００４７】
以上、本発明により成された発明を、前記の実施例により具体的に説明したが、本発明は前記の実施例に限定されるものではなく、その要旨を離脱しない範囲内で多様な変更ができることは言うまでもない。
【００４８】
即ち、前記の実施例においては、マルチメディア用携帯機器のコネクターをＭＰ３プレイヤーに使用した実施例について説明したが、本発明は前記の実施例に限定されるものではなく、携帯用ゲーム機、携帯用放送受信装置、携帯電話、ＰＭＰ、デジタルカメラ、携帯用通信機器などにも適用できることは言うまでもない。
【図面の簡単な説明】
【００４９】
【図１】ＵＳＢポートを用いてコンピュータとマルチメディア用携帯機器を結合する従来のＵＳＢケーブルを示した図。
【図２】本発明の一つの実施形態によるマルチメディア用携帯機器のコネクターの斜視図。
【図３】本発明の一つの実施形態によるマルチメディア用携帯機器のコネクター本体部の結合構造を示した斜視図。
【図４】本発明の一つの実施形態によりＵＳＢポートを用いてコンピュータとマルチメディア用携帯機器を結合するマルチメディア用携帯機器のコネクターを示した図。
【図５】本発明の一つの実施形態によるマルチメディア用携帯機器のコネクターのイヤホンの作動状態を示した使用状態図。
【図６】第１本体及び第２本体の具体的な斜視図を示した図。
【符号の説明】
【００５０】
１    ジャックコネクター
１０    コネクターケーブル
１１    コネクター本体部
１２    第１本体
１３    第２本体
１６    リブ
２０    イヤホンの線
３０    イヤホン
４０    締結手段
【図１】
2007183920.tif 000003
【図２】
2007183920.tif 000004
【図３】
2007183920.tif 000005
【図４】
2007183920.tif 000006
【図５】
2007183920.tif 000007
【図６】
2007183920.tif 000008